(57)【要約】【課題】  三脚と呼ばれる設置台本体、あるいは、設置台本体と撮影機を入れたバックとを背中に背負って運搬することができるようにして、運搬中に両手を自由に使えるようにする。【解決手段】  左右の背負いベルト５が上部紐５２と吊り具５５と下部帯紐５３とを備える。上部帯紐５２を設置台本体１の上部に連結し、下部帯紐５３を設置本体１の脚１４に設けた引掛かり具７に連結し、その背負いベルト５を利用して設置台本体１を背中に背負う。背負いベルト５の上部から吊り具５５を使って撮影機材を収容したバック９を吊り下げると、そのバック９を設置台本体１と併せて背中に背負うことができる。【選択図】          図２
2004213010.tif 000002
【特許請求の範囲】
【請求項１】
カメラが着脱される雲台を備えた脚を背負うことができるようにしたカメラ設置台において、
上記脚の下部に引掛かり具を設けた設置台本体と、この設置台本体の上部と前記引掛かり具とに連結可能な左右一対の背負いベルトと、からなるカメラ設置台。
【請求項２】
左右一対の上記背負いベルトが、上記設置台本体の丈夫に結び合わせ可能な丈夫帯紐と、上記引掛かり具に係脱可能なフック体を備える伸縮可能な下部帯紐と、を具備している請求項１に記載したカメラ設置台。
【請求項３】
左右一対の上記背負いベルトの上端部同士が連結紐で連結されていて、その連結紐に上記設置台本体以外の撮影機材を収納するバッグを吊り下げる吊り具が備わり、その吊り具に吊り下げた上記バッグを上記設置台本体と左右一対の上記背負いベルトとの間に位置させることができるようになっている請求項１又は請求項２に記載したカメラ設置台。
【請求項４】
上記引掛かり具が、上記設置台本体の脚に着脱自在である請求項１ないし請求項３のいずれか１項に記載したカメラ設置台。
【発明の詳細な説明】
【技術分野】  本発明は、運搬に便利なカメラ設置台に関する。
【背景技術】  撮影機材には、写真撮影用あるいはビデオ撮影用のカメラのほか、そのカメラを設置するための一脚、二脚あるいは三脚などの脚、照明設備、フィルムなどが含まれ、そのうち脚には大形のものから小形のものまで種々ある。
従来、これらの必要な撮影機材を運搬する際、その運搬場所が近くであれば脚やカメラを手に持ったり肩に担いだりして運搬し、その他のバッグに入る機材についてはその機材を収納したバッグを背負って運搬するのが普通であった。また、運搬場所が遠いときにはバイクや自動車などが使われ、バイクのときには、バイクの荷台などに脚を載せ、カメラその他の機材はそれらを入れたバッグを背負って運搬するのが普通であった。
特許文献１として掲げた先行例には、カメラが着脱される雲台を備えた三脚において、３本の脚のうちの２本の脚の上端部間に横架した上部横桟に上記雲台を取り付けると共に、２本の脚の中間部に横架した下部横桟に荷受け板を取り付け、その荷受け板の上に荷物を置いたり、上部横桟と下部横桟との間に背負いベルトを連結して全体を背負うことができるようにした三脚についての記載がある。
【特許文献１】  特開平９−２６０８６号公報
【発明の開示】
【発明が解決しようとする課題】  しかし、従来は、運搬場所が近い場合にはどうしても片手あるいは両手でカメラや脚などを持ったり支えたりすることになるため、片手あるいは両手の自由が損なわれるという不便があった。また、運搬場所が遠い場合には、カメラを脚の雲台から取り外してそれらを分解して運搬しなければならない不便があった。背中に背負ったバッグに脚を入れて運搬すると手の自由がある程度は保たれるようになるけれども、大形の脚はバッグに入らないためにそのようなことをすることができなかった。
これに対し、先行例に記載されたものは、背負いベルトを使って三脚や荷受け板の上に置いた荷物を背負うことができるので、撮影機材を運搬するときに両手の自由が損なわれにくいという長所がある。しかし、このものは、上部横桟や下部横桟を２本の脚に連結する必要があり、しかも、カメラを設置するための雲代が上部横桟に取り付けられているので、その構造が特殊であって一般的な三脚、すなわち雲台にヒンジ機構を介して３本の脚が直接に連結されているような三脚には適用することができない。そのため、汎用性に欠けるほか、３本の脚のうちの２本の脚が下部横桟によって運搬中に開いた姿勢に保たれるため、運搬時の形が大形になるという問題がある。
本発明は以上の状況に鑑みてなされたものであり、バッグに入れて運搬しにくい、あるいはバッグに入れて運搬することのできない機材、たとえば雲台にヒンジ機構を介して３本の脚が直接に連結されているような一般的な構造の三脚やそれに類似する一脚や二脚などの脚を背負って運搬できるようにすることによって、カメラ設置台の運搬時に片手あるいは両手の自由が損なわれなくなるカメラ設置台を提供することを目的とする。
また、本発明は、脚と他の機材を収容したバッグを併せて背中に背負って運搬することができるようにすることによって、運搬時に片手あるいは両手の自由が損なわれなくなるカメラ設置台を提供することを目的とする。
さらに、本発明は、カメラとカメラを取り付けた脚とを分解せずにそのまま運搬することのできるカメラ設置台を提供することを目的とする。
【課題を解決するための手段】  本発明に係るカメラ設置台は、カメラが着脱される雲台を備えた脚を背負うことができるようにしたカメラ設置台において、上記脚の下部に引掛かり具を設けた設置台本体と、この設置台本体の上部と前記引掛かり具とに連結可能な左右一対の背負いベルトと、からなるというものである。これによれば、一脚、二脚あるいは三脚などの設置台本体の上部と引掛かり具とに連結した背負いベルトでその設置台本体を背中に背負って運搬することができるので、カメラ設置台を手に持ったり肩に担いだりする必要がなくなり、徒歩で運搬するときやバイクで運搬するときに片手あるいは両手の自由が損なわれにくい。また、雲台にカメラを取り付けたままの設置台本体を背負うこともできるため、運搬先では設置台本体を置いてカメラ取付作業を行うことなくすばやく撮影作業に入ることが可能になる。
本発明では、左右一対の上記背負いベルトが、上記設置台本体の上部に結び合わせ可能な上部帯紐と、上記引掛かり具に係脱可能なフック体を備える伸縮可能な下部帯紐と、を具備していることが望ましい。これによれば、設置台本体の脚に設けられている引掛かり具に下部帯紐のフック体を連結し、設置台本体の上部に上部帯紐を結び合わせることによって、必要なときだけ背負いベルトを設置台本体に連結することが可能になるという利便性がある。また、下部帯紐が伸縮可能であるので、一脚、二脚あるいは三脚などの設置台本体の大きさに合わせて背負いベルトの位置や背負いベルトを背中に背負ったときの張り具合を適度に調節することができるようになって疲労感や肩凝りを伴いにくい運搬が可能になる。
そのほか、引掛かり具から取り外した背負いベルトを、自動車や座席などの他のものに結び合わせて連結することが可能であるので、たとえば自動車で運搬するときに背負いベルトを座席に結束して設置台本体の横倒れなどを防いでおくことが可能になる。
また、左右一対の上記背負いベルトの上端部同士が連結紐で連結されていて、その連結紐に上記設置台本体以外の撮影機材を収納するバッグを吊り下げる吊り具が備わり、その吊り具に吊り下げた上記バッグを上記設置台本体と左右一対の上記背負いベルトとの間に位置させることができるようになっていることが望ましい。これによれば、上記帯紐を設置台本体の上部に結び付けて背負いベルトを
設置台本体に連結することができるというだけでなく、その上部帯紐を、撮影機材を入れたバッグの手提げ用把手などの他の物に結び付けてバッグなどを支えることにも利用できるという利便がある。
さらに、上記引掛かり具が、上記設置台本体の脚に着脱自在であるという構成を採用することが可能である。これによれば、必要なときだけ引掛かり具を設置台本体の脚に取り付けることができるので、その引掛かり具が不要なときに脚に取り付けた引掛かり具がじゃまになるということがない。
【発明の効果】  以上のように、本発明に係るカメラ設置台によれば、一脚、二脚あるいは三脚などの設置台本体や撮影機材を入れたバッグを背中に背負って運搬することができるために両手の自由が損なわれなくなり、運搬中でも両手を自由に使えるようになるという利便がある。そのため、徒歩による運搬だけでなく、自転車やバイクなどを使った運搬も可能である。また、カメラを設置台本体に取り付けたまま運搬することが可能であるので、面倒なカメラの着脱を行う必要がなくなる。さらに、設置台本体が超大型のものであっても背中に背負って運搬することが可能になる。
【発明を実施するための最良の形態】  図１は本発明に係るカメラ設置台Ａを概略で示した外観図、図２はバッグ９を吊り下げた状態のカメラ設置台Ａの概略斜視図、図３は背負いベルト５の外観図、図４は引掛かり具７の概略斜視図、図５は袋体９の概略外観図である。
図１のように、このカメラ設置台Ａは、三脚でなる設置台本体１と背負いベルト５とを備えている。
設置台本体１は、雲台１２にヒンジ部１３を介して３本の脚１４を連結してなり、雲台１２にはカメラＣを取り付けることができ、３本の脚１４を拡げて床や地面などに設置することができるようになっている。
左右一対の背負いベルト５は、図２及び図３に示す如く、帯状の連結紐５１によって上端部同士が連結されている柔軟材を内包した主部５０と、連結紐５１に縫着された上部帯紐５２と、端部にフック体５４が取り付けられている左右一対の下部帯紐５３とを備えている。そして、連結紐５１には左右一対の吊り具５５が連結されていると共に、下部帯紐５３は、主部５０の下端部に取り付けられたクランプ５７を介してその主部５６に連結されている。そして、クランプ５７が、下部帯紐５３をしごいてその固定箇所を変更することによって下部帯紐５３を伸縮させる機能を備えている。そのため、下部帯紐５３はクランプ５７に対する固定箇所を変更することによってその長さを伸ばしたり縮めたりすることが可能である。
図４に示した引掛かり具７は、金属製のバンド７１にループ状に成形した金属製の引掛け部７２を結合してなり、バンド７１は、その一端部７３と他端部４４とを、一端部７３に具備させたバックル７５によって連結することができるようになっている。
以上説明したカメラ設置台Ａでは、設置台本体１が三脚でなる。そして、この三脚でなる設置台本体１を背負って運搬するときには、図１のように、引掛かり具７の金属製のバンド７１を設置台本体１の２本の脚１４，１４の下部に締付け固定し、その引掛け部７２（図４参照）に左右の背負いベルト５，５のフック体５４，５４を各別に引掛け、併せて、上部帯紐５２を設置台本体１の雲台１２と脚１４…とを連結しているヒンジ部１３に結び付ける。こうすると、背負いベルト５，５の内側に左右の腕を通して設置台本体１を背中に背負うことが可能になるので、そのようにして設置台本体１を背中に背負い、両手の自由を損なわずに設置台本体１を運搬することができる。
設置台本体１を背中に背負って運搬する場合、設置台本体１の３本の脚１４…は開いたままであっても、それらをコンパクトに閉じ合わせておいてもよい。たとえば、撮影ポイントをある場所からその近くの他の場所に移すようなときには、先の撮影ポイントで設置台本体１の雲台１２に取り付けていたカメラＣを取り外さずに、しかも、設置台本体１の脚１４を閉じ合わさずに開いたまま、その設置台本体１を背中に背負って他の撮影ポイントまで運搬するようにすれば、他の撮影ポイントでは、脚１４の開いている設置台本体１をそのまま置いて即座に撮影を開始することができる。
このカメラ設置台Ａを用いると、図２のように設置台本体１以外の撮影機材を収容したバッグ９を設置台本体１と合わせて背中に背負って運搬することも可能である。図例ではバッグ９は、バッグ本体９１とこのバッグ本体９１を入れた袋体９２とに分かれている。図５に示したように袋体９２には左右に連結紐９３が備わっている。また、この袋体９２は前開き片９４を備えていて、この前開き片９４を閉じ合わせるための面状ファスナー９５，９６が適所に備わっている。そして、図２のように、袋体９２の左右の連結紐９３を左右の背負いベルト５のそれぞれの吊り具５５に連結することによって、袋体９２とその袋体９２に入れたバッグ本体９１とを吊り具５５を介して上部から吊り下げと、バッグ９を設置台本体１と背負いベルト５との間に位置させることができる。
このようにすると、左右の背負いベルト５，５の内側に左右の腕を通して設置台本体１とバッグ９とを背中に背負うことが可能になるので、そのようにして設置台本体１を背中に背負い、両手の自由を損なわずに設置台本体１やバッグ９を運搬することができる。この場合でも、設置台本体１の複数本の脚１４…は開いたままであってもコンパクトに閉じ合わせておいてもよく、さらに、カメラＣを雲台１３に取り付けたままであってもよい。また、設置台本体１とバッグ９とを背中に背負う場合には、設置台本体１の上部に結び付けた上部帯紐５２の余剰部分をバッグ本体９１の手提げ用把手（図に現れていない）に結び合わせるようにすると、バッグ本体９１が左右の吊り具５５と上部帯紐５２とにより３か所で支えられるようになるので、バッグ９を安定性よく背中に背負うことができるようになる。
なお、図示していないけれども、撮影機材を自動車で運搬する場合には、図２のように設置台本体１に背負いベルト５を取り付けた状態で、設置台本体１を車体床に立て、引掛け具７１から取り外した背負いベルト５を、自動車や座席などの他のものに結び合わせて連結しておけば、運搬中に設置台本体１の横倒れなどを防いでおくことが可能になるだけでなく、図２に示す撮影時の状態のままカメラ設置台Ａを運搬することができる利便がある。
この実施形態では、カメラ設置台Ａの設置台本体１が３本の脚を有する三脚である場合を説明したけれども、設置台本体１には１本の脚を有する一脚や、２本の脚を有する二脚などもあり、これら一脚と呼ばれる設置台本体１や二脚と呼ばれる設置台本体１を備えたカメラ設置台についても本発明を同様に適用することができる。
また、この実施形態では、引掛かり具７を設置台本体１とは別部品とし、その引掛かり具７のバンド７１を設置台本体１の脚１４に取り付けるようにしてあるけれども、この点、上記引掛かり具７と同様な作用効果を有する引掛かり具を設置台本体１の脚１４に溶接で直接に固定されていても、あるいは、そのような引掛かり具が取付けビスなどの止具を用いて設置台本体１の脚１４に固定されていてもよい。
【産業上の利用可能性】  本発明は、
【図面の簡単な説明】
【図１】  本発明に係るカメラ設置台を概略で示した外観図である。
【図２】  バッグを吊り下げた状態のカメラ設置台の概略斜視図である。
【図３】  背負いベルトの外観図である。
【図４】  引掛け具の概略斜視図である。
【図５】  袋体の概略外観図である。
【符号の説明】
Ａ  カメラ設置台
Ｃ  カメラ
１  設置台本体
５，５  背負いベルト
７  引掛かり具
９  バッグ
１２  雲台
１４  脚
５１  連結紐
５２  上部帯紐
５３  下部帯紐
５４  フック体
【図１】
2004213010.tif 000003
【図２】
2004213010.tif 000004
【図３】
2004213010.tif 000005
【図４】
2004213010.tif 000006
【図５】
2004213010.tif 000007